【事件の表示】
　特許第２９００２２０号「キッチンユニットおよびその組み立て方法」の請求項１に係る特許に対する特許異議の申立てについて、次のとおり決定する。
【結　論】
　特許第２９００２２０号の請求項１に係る特許を維持する。
【理　由】
１．手続の経緯、本件請求項１に係る発明
　本件特許第２９００２２０号（平成６年６月２９日出願、平成１１年３月１９日設定登録）の請求項１に係る発明（以下、「本件請求項１に係る発明」という）は、その特許請求の範囲の請求項１に記載された次のとおりのものである。
「【請求項１】シンクキャビネットユニット、背板、扉ユニットからなるキッチン、ユニットであって、シンクキャビネットユニットはガス台設置口が設けられたワークトップ、左右側板及び地板が連接されたもので前部から後部にかけて筒状に開□されており、背板が該シンクキャビネットユニットの後部を閉鎖し、扉枠に扉が開閉自在に取り付けられた扉ユニットが該シンクキャビネットユニット前部に取り付けられることを特徴とするキッチンユニット。」
　
２．申立ての理由の概要
　異議申立人・サンウェーブ工業株式会社は、証拠として甲第１号証（特開昭６０−１２０１４号公報）及び甲第２号証（実願昭５５−１６１４７９号〔実開昭５７−８５２５３号〕のマイクロフイルム）を提出し、本件請求項１に係る発明は、甲第１号証及び甲第２号証記載の発明から当業者が容易に発明をすることができたものであるから、特許法第２９条第２項の規定により特許を受けることができないものであり、本件請求項１に係る発明の特許を取消すべきである旨主張している。
　
３．申立て人提出の甲各号証記載の発明
　甲第１号証
「本発明は、いわゆるシステムキッチンなどのようにシンクなどを含む台所装置に関する」（１頁左欄１１〜１２行）、「本発明の目的は、材料が少なくて済み、しかも配管などの工事の作業性を向上した台所装置を提供することである。」（１頁右欄１２〜１４行）、「第２図は、本発明の一実施例の分解斜視図である。大略的に四角柱状の骨組１１の上部には、天板１２が設けられる。骨組１１には、収納空間を有する箱状体１３，１４が取付けられる。箱状体１３，１４の前部には、鉛直軸線まわりに角変位して開閉可能な扉１５，１６が
ヒンジによってそれぞれ取付けられる。箱状体１４の上部には、ガスコンロ１７が乗載される。骨組１１は、多数の長手部材１８を含む。骨組１１内の空間１９，２０に箱状体１３，１４を収納することができる。ガスコンロ１７は天板１２に形成された開口２１から上方に突出する。空間２０において、都市ガスなどの燃料ガスを導く管路の配管工事は、空間２０が骨組１１によつて構成されているので、比較的容易である。・・・天板２１には、シンク２５と水栓２６とが設けられる。シンク２５と水栓２６は、骨組１１の空間２７の上部に収納される。天板１２の平坦な部分２８は、骨組１１の空間２９を覆う。空間２７の下部および空間２９には箱状体（図示せず）が収納されてもよい。骨組１１に天板１２を取付けるに先立って、空間２７において水栓２６のための水道水を導く管路およびシンク２５の排水管路を、配管工事する。この配管工事は、骨組１１が部材１８によって構成されているので、比較的容易に行なうことができる。本発明の他の実施例として、骨組１１を台所の予め定めた位置に設置する前に、ガステーブル１７のための燃料ガスを供給する管路、水栓２６のため水道水を導く管路、およびシンク２５のための排水管路の配管工事を行ない、その後、骨組１１を設置するようにしてもよい。本発明のさらに他の実施例として、箱状体１３，１４を設けることなく、扉１５，１６を骨組１１の前部に直接に取付けるようにしてもよい。」（１頁右下欄１６行〜２頁右上欄１７行）、「以上のように本発明によれば、四角柱状の骨組を用い、その上部に天板を設け、骨組の前部に扉などを設けて骨組内に収納空間を形成したので、材料を低減することができ、また配管工事などを容易に行なうことができ、作業性が向上される。」（２頁右上欄１９行〜同左下欄３行）、の記載がある。
　甲第２号証
「前後一対の台輪上に、複数に分割された底板を載置定着するとともにこれら底板の間にはキャビネット内を区画し床面に当接する仕切板を介挿して、底板同士を連結するようにし、底板に対応する幅員の背板を底板に固着して起立させるとともにこの背板同士はその側縁にて前記仕切板を介挿して固着するようになっており、背板の上縁にはバックガードに内装されるバックガード支持板を載置定着し、左右側板を台輪背板及び底板に固着し左右側板及び底板の前面には前枠ユニット化粧ユニットを取り付け、その下方に蹴込部を形成し上部から天板ユニットを被嵌するようにしたことを特徴とする厨房家具。」（実用新案登録請求の範囲）、「背板（５）は浅底容器状とした金属製の板材からなり底板（２）の端縁に起立させビス、溶接などの手段により固着するようにしたもので、この背板（５）も底板（２）と同様三つの単位部材（５ａ）（５ｂ）（５ａ）から構成されており、底板の単位部材（２ａ）（２ｂ）（２ａ）に対応するようになっている。」（４頁１３〜１９行）、「左右の側板（９）（９）は金属板材にて縦長長方形状に形成されており、その周縁に折曲部を形成してあり台輪（１）（１）、底板（２）、背板に適宜手段により固着される。そしてその下端は床面に当接するようになっている。」（６頁４〜８行）、「そして前面部には前枠ユニット（１１）が取り付けられる。・・・この前枠ユニット（１１）に厨房家具の前面を構成する幕板（１２ａ）、扉（１２ｂ）、引き出し（１２ｃ）を含む化粧ユニット（１２）を取り付けるのである。」（７頁１〜１３行）、「このようにして得た上方を開口した箱体に水槽を含む金属製（ステンレス鋼板）の天板ユニット（１３）を被せ流し台を構成するのである。」（７頁１９行〜８頁２行）、「この考案は以上のような構成からなるもので、金属製長尺の流し台、調理台を製作するのに、底板、背板を分割して組み立てるようにしたので組み立てる過程におけるひずみにより、また使用しているうちに凹凸が生じることがなく体裁の良い製品が得られるのである。」（８頁３〜９行）、の記載がある。
　
４．対比・判断
　甲第１号証記載の「天板１２」、「扉１５，１６」、「システムキッチン」、「開口２１」は、本件請求項１に係る発明の「ワークトップ」、「扉ユニット」、「キッチンユニット」、「ガス台設置口」に相当するから、甲第１号証には、ワークトップ、骨組１１、扉ユニット等からなるキッチンユニットであって、ワークトップはガス台設置口が設けられ、骨組１１は多数の長手部材１８から構成されて前部から後部にかけて筒状に開□されており、骨組１１の前部に扉ユニットが開閉自在に取り付けられたキッチンユニット、の発明が記載されていると認める。しかしながら、甲第１号証記載の発明は、ワークトップと骨組が別ユニットを構成するものであって、本件請求項１に係る発明のように、ワークトップ、左右側板及び地板が連接されたシンクキャビネットユニットを具備するものではなく、また、背板は具備していないと共に、扉ユニットも扉枠のないものである。
　また、甲第２号証記載の「天板ユニット１３」、「扉１２ｂ」、「厨房家具」、「底板」は、本件請求項１に係る発明の「ワークトップ」、「扉ユニット」、「キッチンユニット」、「地板」に相当するから、甲第２号証には、ワークトップ、背板、側板９、地板、前枠ユニット１１、扉ユニット等からなるキッチンユニットであって、前枠ユニットに扉ユニットが開閉自在に取り付けられるキッチンユニット、の発明が記載されていると認める。しかしながら、甲第２号証記載の発明は、ワークトップ、左右側板、地板等が分離しているものであって、本件請求項１に係る発明のように、ガス台設置口が設けられたワークトップ、左右側板及び地板が連接されたもので前部から後部にかけて筒状に開□されたシンクキャビネットを具備するものではなく、扉ユニットも扉枠のないものである。
　そうしてみると、甲第１号証及び甲第２号証記載の発明は、いずれも、本件請求項１に係る発明の「シンクキャビネットユニット、背板、扉ユニットからなるキッチンユニットであって、シンクキャビネットユニットはワークトップ、左右側板及び地板が連接されたもので、背板が該シンクキャビネットユニットの後部を閉鎖し」の構成を具備するものではない。
　そして、本件請求項１に係る発明は、甲第１号証及び甲第２号証記載の発明が具備しない上記構成を発明の主要な構成要件とすることにより、本件特許明細書に記載の「配管、タイル工事に必要な位置決めが、背板Ｂを壁面に取り付けるだけで済み、内装工事完了後にシンクキャビネットユニットＳを背板Ｂに取り付ければよいため、従来のようにキッチンユニットＫ本体を据え付ける必要がなく、工事の邪魔にならず、内装工事全体の作業性が改善でき、かつキッチンユニットＫが破損したりすることがなくなるものである。」という甲第１号証及び甲第２号証記載の発明からは予測することのできない特有の効果を奏するものである。
　したがって、本件請求項１に係る発明は、甲第１号証及び甲第２号証記載の発明に基づいて当業者が容易に発明できたものとすることはできない。
　
５．むすび
　以上のとおりであるから、異議申立人の主張する理由及び提出した証拠方法によっては、本件請求項１に係る発明の特許を取り消すことはできない。
　また、他に本件請求項１に係る発明の特許を取り消すべき理由を発見しない。
　よって、結論のとおり決定する。
【異議決定日】
平成１３年３月１４日（２００１．３．１４）